Podtech/llm-jp-corpus-v4-ja_patent huggingface dataset:
(57)【要約】【課題】  原料として米粉を用い、食感に優れた麺を、簡便な方法で提供する。【解決手段】  α化米粉を５〜２５重量％含む米粉に、水を加えて混合混練した生地を製麺し、米粉からなる麺を得る。食感の向上を目的に、もち米の粉を、全体の重量の中で、５〜１５重量％となるように加えてもよい。【選択図】なし【特許請求の範囲】
【請求項１】
α化米粉を、５〜２５重量％含む米粉に、水を加えて得られることを特徴とする米麺
【請求項２】
もち米を、５〜１５重量％含むことを特徴とする、請求項１に記載の米麺
【発明の詳細な説明】
【技術分野】
【０００１】  本発明は、原料として米粉を用いた麺類に関するものである。
【背景技術】
【０００２】  我が国の食糧自給率は、農林水産省の統計によると、平成２０年度で、カロリーベースで４１％、生産額ベースで６５％ということで、極めて低い水準で推移している。しかも、前記の数字から推定できるように、我が国における食糧生産コストは、主な食糧輸出国に比較すると、構造的に高いという問題がある。【０００３】  加えて、現時点では、食糧の輸入に特段の支障が顕在化していない状態であるが、長期的に見ると、今後は世界的な食糧不足が懸念されている。この問題に対処するには、現在、後継者難などの理由で耕作されずに放置されている農地や、休耕田を、必要なときにいつでも耕作可能な状態に維持することが焦眉の急であると言える。【０００４】  ところが、我が国の従来の主食である米に目を向けると、消費者の需要の多様化や人口減に伴い、米の消費量が減少傾向にあり、放置されている農地の増加を助長しているのが実情である。【０００５】  このような事態への対処を目的として、米の消費を拡大するために、学校給食に米飯を使用するなどの方策が実施されたり、米を粉末化して、米飯以外の用途への適用が検討されたりしている。そして、後者の用途開発の一環として米粉を用いた麺類が、注目されている。【０００６】  近年になって米粉が注目されている理由の一つに、例えば麦に比較すると、米は粒が硬く、粉にすることが困難であったのが、対応可能な装置が開発されたことによる。しかしながら、米粉を麺にするには、米元来の特性により、粘着力が不足し、製麺が困難であるという問題がる。【０００７】  これを解決する手段として、特許文献１には、玄米から精米した乾燥状態の米を粉砕または磨砕して得られる原料に、水または湯を加えて捏ね、麺生地を調製する方法が開示されている。また、特許文献２には、麺の表層のみを糊化する方法が開示されている。【０００８】  しかしながら、これらの方法では、加工性が低かったり、調製方法が複雑であったりして、米粉を用いた麺の製造方法としては、なお改良の余地がある。
【先行技術文献】
【特許文献】
【０００９】
【特許文献１】  特開２００６−３０４６７４号公報
【特許文献２】  特開２００７−１７４９１１号公報
【発明の概要】
【発明が解決しようとする課題】
【００１０】  従って、本発明の課題は、原料として米粉を用い、食感に優れた麺を、簡便な方法で提供することにある。
【課題を解決するための手段】
【００１１】  特許文献２には、麺の表層のみを糊化、即ち、α化することが開示されている。この現象は、デンプンを含む食品に水や熱を加えて処理すると、デンプン分子の水素結合のネットワークが崩壊してゲル状になることによるもので、粘りが発現する要因となる。本発明者らは、これを利用して前記課題の解決方法を検討した結果、本発明をなすに至ったものである。【００１２】  即ち、本発明は、水を除く原料において、α化米粉を５〜２５重量％含むことを特徴とする米粉麺であり、さらに、もち米を、水を除く原料全体の重量の中で、５〜１５重量％となるように加えてもよい。
【発明の効果】
【００１３】  本発明によれば、α化した米粉を通常の米粉に混合することにより、水を加えて練る際に、粘りが発現し、製麺が可能となる。ここでα化した米粉を混合する比率を５〜２５重量％に限定したのは、５重量％未満の比率では、十分な粘りが発現せず、製麺が不可能となり、２５重量％を超える比率のα化米粉を混合しても、α化米粉を混合する効果の増加が認められなくなるからである。【００１４】  また、本発明においては、５〜１５重量％の範囲でα化したもち米粉を加えてもよいが、これは、もち米を加えることで、麺の食感が滑らかになるからである。もち米粉を加える比率を前記のように限定した理由も、５重量％未満では、その効果が十分に現れず、１５重量％を超える比率では、効果の増加が認められなくなるからである。なお、本発明で用いるもち米も、その少なくとも一部にα化したものを用いてもよい。【００１５】  また、本発明においては、『つなぎ』のために小麦粉を加える必要ながないので、アレルギー障害により麺類を摂取できない人にも、本発明の麺類を提供することができる。
【発明を実施するための形態】
【００１６】  次に、本発明の実施の形態について説明する。
【００１７】  １５０メッシュの粒度に調製したうるち米の粉、常法によりα化を施し、やはり１５０メッシュの粒度に調製したうるち米の粉、２５０メッシュに調製したもち米の粉、及び水を表１の実施例に示した比率で秤量し、十分に混合混練し、製麺用の押出機を用いて製麺したところ、何ら支障なく製麺が可能であった。しかしながら、同じく表１の比較例に示したように、α化したうるち米の比率を３重量部としたものでは、『ボソボソ』で、製麺が不可能であった。
【００１８】
【表１】
2011177160.tif 000002
【００１９】  また、表１には特に示さなかったが、もち米としてアα化したものを用いた場合も同様の効果が得られた。しかも、実施例に示した原料は、一昼夜放置した後でも製麺が可能であった。これはα化した米の保水性に起因すると解される。
【００２０】  以上に説明したように、本発明によれば、米粉を原料とした麺類を容易に得ることができ、米の消費量拡大、ひいては我が国の農業保全に寄与することができる。なお、本発明は、前記実施の形態に限定されるものではなく、本発明の分野における通常の知識を有する者であれば想到し得る、各種変形、修正を含む要旨を逸脱しない範囲の設計変更があっても、本発明に含まれることは勿論である。
(57)【要約】【課題】発酵食品であるチーズはヘルシーである点で若い人には好んで食されているがチーズには特有なチーズ臭があるため年配者にはこれを嫌う人が多い。然しながら従来の提案になるものではチーズ臭の除去が完全でなく、また、食品としての風味や食感に欠ける欠点があった。【解決手段】本発明のチーズ粕みそ漬けは、酒粕と白みその混合物と、この混合物内に漬け込まれたクリームチーズとより成る。また、このチーズ粕みそ漬けの製造方法は、酒粕の所望量と、白みその所望量とを練り混ぜ、これを所望量のクリームチーズの周りに塗布し、低温状態で所定期間漬け込むことを特徴とする。【選択図】なし【特許請求の範囲】
【請求項１】
酒粕と白みその混合物と、この混合物内に漬け込まれたクリームチーズとより成ることを特徴とするチーズ粕みそ漬け。
【請求項２】
酒粕の所望量と、白みその所望量とを練り混ぜ、これを所望量のクリームチーズの周りに塗布し、低温状態で所定期間漬け込むことを特徴とするチーズ粕みそ漬けの製造方法。
【発明の詳細な説明】
【技術分野】
【０００１】
本発明は、チーズ粕みそ漬け及びその製造方法、特に、クリームチーズを粕みそ漬けした食品及びその製造方法に関するものである。
【背景技術】
【０００２】
近年、食生活が豊かになり、人は嗜好に合せて好きなものを自由に食べることができるようになってきた。
【０００３】
発酵食品であるチーズもヘルシーである点で若い人には好んで食されているがチーズには特有なチーズ臭があるため年配者にはこれを嫌う人が多い。
【０００４】
従来、チーズからチーズ独特の臭いを除去するための提案が種々なされている。
【先行技術文献】
【特許文献】
【０００５】
【特許文献１】特開平９−２４８１６２号公報
【発明の概要】
【発明が解決しようとする課題】
【０００６】
従来の提案になるものではチーズ臭の除去が完全でなく、また、食品としての風味や食感に欠ける欠点があった。
【０００７】
本発明者は種々実験、研究の結果、白みそに酒粕を適量混ぜ合せたものにクリームチーズを適当期間漬け込むことによって上記の欠点を除き得ることを見出した。
【０００８】
本発明はかかる知見をもとになされたものである。
【課題を解決するための手段】
【０００９】
本発明のチーズ粕みそ漬けは、酒粕と白みその混合物と、この混合物内に漬け込まれたクリームチーズとより成ることを特徴とする。
【００１０】
本発明のチーズ粕みそ漬けの製造方法は、酒粕の所望量と、白みその所望量とを練り混ぜ、これを所望量のクリームチーズの周りに塗布し、低温状態で所定期間漬け込むことを特徴とする。
【発明の効果】
【００１１】
本発明によればチーズ臭が全く無い、風味や食感のある、若者にも年配者にも好まれるチーズ粕みそ漬け及びその製造方法を提供できる大きな利益がある。
【発明を実施するための形態】
【００１２】
以下本発明の実施例を説明する。
【実施例１】
【００１３】
本発明のチーズ粕みそ漬けは以下のようにして製造する。
【００１４】
酒粕３００グラム、白みそ５００グラムをボウルに入れ、１５分〜２０分練り混ぜ、これを５００グラムのクリームチーズの周りに塗布し、冷蔵庫内で１０日〜１週間漬け込むことにより本発明のチーズ粕みそ漬けが完成する。
【００１５】
上記各成分の分量は必要に応じて種々増減せしめるがその配分率を大きく変えてはならない。本発明はチーズとしてクリームチーズを使用し、みそとして白みそを用いることが特徴である。
【００１６】
本発明のチーズ粕みそ漬けはチーズ臭が全く無く、風味や食感にも優れ、酒のつまみにも好適である。
(57)【要約】【課題】刈り込みや剪定作業で、はさみの刃先に樹脂が付着すると切れが悪くなり、作業の能率が落ちると同時に、刃の切れ味が悪くなり、仕上がりが見た目に悪くなる。そのため刈り込みや剪定作業と同時進行的に樹脂の除去を行い、作業の能率を上げ、作業終了後の放置による樹脂の固化防止作業の軽減を図る。【解決の手段】  はさみの片方の柄２ｂに液体を入れる筒状の容器２ｃを嵌合し、該容器２ｃに導管７を挿入し、該導管にて液体を刃１ａ・１ｂに導き、刈り込みや剪定作業と同時進行的に樹脂の除去作業を行うことの出来るはさみを提供する。【選択図】図２
2011177163.tif 000002
【特許請求の範囲】
【請求項１】
剪定はさみにおいて、該はさみの柄に液体を入れる容器と該液体を刃の部分に導くための誘導路を備えた刈り込みはさみ
【発明の詳細な説明】
【技術分野】
【０００１】  本発明は、樹木の刈り込みや剪定に使うはさみに関するものである。
【背景技術】
【０００２】  刈り込みや剪定作業を行うと、樹木の切り口から出る樹脂が刃先に付着し、刃の滑りが悪くなって、作業の能率が落ちることは周知である。また、刃と刃の間に樹脂が付着すると、刃と刃の間に隙間ができ、両刃が完全に擦り合わないため、葉は完全に切れず毟り取ったような状態となり、仕上がりが見た目に悪くなる。同時に雨天等で樹木が濡れているときは刃に樹脂が付着しないことが明らかなように、この樹脂は洗剤等を用いなくても普通の水でよく落ちることが周知である。このため、スプレーやバケツ等に用意した水で随時刃を濡らしつつ作業する人もある。また、作業終了後は、刃に樹脂が付着したまま放置すると樹脂が乾燥し、固化して樹脂の除去が一層困難になるため、刃をブラシで洗ったり砥石で研いだりする作業を必要とすることが多い。
【発明の概要】
【発明が解決しようとする課題】
【０００３】  本発明は、剪定はさみに付随する上記従来技術の問題点を解決することを課題とする。具体的に述べれば、第一に、水を蓄えたスプレーやバケツ等を別途に用意する煩雑さをなくすことであり、第二には、刃と刃の間にできる隙間を最小限に抑え、切れ味を最良の状態とし、仕上がりを見た目によくすること。第三には刃に付着した樹脂の除去が刈り込み作業中に同時進行的に行われることによって、刈り込み作業終了後の樹脂除去作業の必要性を殆どなくすことである。
【課題を解決するための手段】
【０００４】  剪定はさみにおいて、該はさみの柄に液体を入れる筒状の容器を嵌合し、該容器の嵌合部の近くに該液体を刃の部分に導くための導管を挿入し、該導管により液体を刃の部分に導くようにした。
【発明の効果】
【０００５】  上述のように、はさみの柄に液体を入れる容器を備えたので、水を蓄えたスプレーやバケツ等を別途用意する煩雑さがなくなる。【０００６】  刃に付着した樹脂の除去が刈り込み作業中に同時進行的に行われるため、切れ味が落ちず、仕上がりがきれいにできる。【０００７】  作業終了後の樹脂除去作業が殆どなくなる。このため作業終了後、わざわざ樹脂を除去するために、ブラシで洗ったり砥石で研いだりする煩雑さがなくなり、肉体的にも精神的にも楽になる。【０００８】  また、研ぐ回数が少なくなるため、刃の磨耗が少なくなって寿命が長くなり、道具の無駄な消費が少なくなる。
【図面の簡単な説明】
【０００９】
【図１】従来のはさみの断面図
【図２】片方の木の柄に筒状の容器を嵌合し、該容器に空気孔を設け、また、該容器から導管を通して刃に液体を供給する断面図である
【図３】片方の木の柄に筒状の容器を嵌合し，該木の柄にポンプを設置し、他方の木の柄に突起を設けた断面図
【図４】片方の木の柄に練り歯磨きチューブのような容器を設置し、片方の木の柄に突起を設けた断面図
【符号の説明】
【００１０】１          １ａ・１ｂ    刃
２          ２ａ・２ｂ    木の柄
２ｃ          筒状容器
３          支軸
４          キャップ
５          空気孔
６          導管挿入孔
７          導管
８          コック
９          ポンプ
１０        ポンプ吸引口
１１        ポンプ吐出口
１２        突起
１３        練り歯磨きチューブのような容器
１４        練り歯磨きチューブのような容器の吐出口
【発明を実施するための形態】
【００１０】はさみ本体の片方の柄に液体を入れる筒状の容器の一端を嵌合し、他端に液体の注入排出用のキャップを設ける．筒状の容器には、嵌合部の近くに刃への液体の供給を促すため、空気孔を設ける。また、該容器の横腹に液体を刃へ導くための導管を挿入し、その導管の先端を刃へ導く。また、その中間に、刃へ液体を供給・停止するためのコックを設ける。尚、刃へ液体を供給する場合、液体の注入排出用のキャップを緩め、筒状容器に空気を取り入れる場合は、筒状容器の空気孔は設けなくてもよい。また、刃先に液体を供給する装置は、片方の柄に限定する必要はない。
【実施例】
【００１１】  以下、添付図面に従って一実施例を説明する。
第１図は従来のはさみで、１ａ・１ｂは刃、２ａ・２ｂは柄、３は支軸である。【００１２】  第２図は本発明実施の一例であり、１ａ・１ｂは刃、２ｂは木の柄で、液体を入れる筒状の容器２ｃを嵌合する。４は液体の注入排出用のキャップ。５は空気孔。筒状容器２ｃの横腹６に導管７を挿入し、刃１ａ・１ｂに導く。導管７の中間には刃１ａ・１ｂに液体を供給・停止するコック８を設ける。なお、刃１ａ・１ｂに液体を供給する場合、キャップ４を少し緩めて筒状容器２ｃに空気を取り入れる場合は、空気孔５は設けなくてもよい。【００１３】  図３も本発明の実施例であって，２ｂは木の柄。２ｃは液体を入れる筒状の容器。９はポンプで木の柄２ｂに設置する。筒状容器２ｃの横腹６にポンプ９に液体を導く導管７を挿入し、該導管の先端をポンプ９の吸引口１０に接続する。且つ、ポンプ９の吐出口１１に導管７を接続し、そ先端を刃１ａ・１ｂへ導く。他方の木の柄２ａに突起１２を設け、はさみの開閉により液を流出させる。【００１４】  第４図も本発明の実施例であって、練り歯磨きのチューブのような液体を入れる容器１３を木の柄２ｂに設置する。他方の木の柄２ａに突起１２を設け、はさみの開閉で噴出口１４より液を噴出し刃１ａ・１ｂに液をかける。
【図１】
2011177163.tif 000003
【図２】
2011177163.tif 000004
【図３】
2011177163.tif 000005
【図４】
2011177163.tif 000006
(57)【要約】【課題】  従来、野菜の収穫を始めるとき、圃場内にはコンテナ−容器を配置するスペ−スがないため、人が直接体にミニコンテナ−等を携えて歩かなければならず、重労働であった。また圃場内は柔らかい事が多いので車の付いたものは使えない。【解決手段】  複数のミニコンテナ−を土ソリの付いた移動式の台にのせ、畝間を随時引っ張って移動しながら収穫する、この効果に依って作業能率もあがり、作業者の腰痛なども大幅に軽減することができた。【選択図】図２
2011177164.tif 000002
【特許請求の範囲】
【請求項１】
複数のミニコンテナ−を載せる長方形の台枠を、所定の高さに保持する支柱を設けたもの、その下部に左右１個ずつの土ソリを接合し、上部の枠の前側には引き手ハンドルを接合した、移動コンテナ−台。
【請求項２】
畑作物の畝間の枝や葉を傷めないように分けて進む分草部。
【発明の詳細な説明】
【技術分野】
【０００１】  本発明は、野菜収穫に関する装置である。
【背景技術】
【０００２】  従来、畑作野菜の収穫の始まりの時に於いて、一面野菜作物の植えられている圃場内にミニコンテナを地上配置するスペ−スが出来ていないので、主に、コンテナ−に紐又はバンドをつけて肩にかつぐか、腰にしばる方法で収穫していた。【０００３】  これとまた別の方法として、自転車の車輪のような、タイヤ巾の狭い車輪を四個取り付けた、台車を使用している例も見受けられる。但しこのような車輪を用いた台車の場合、雨が降って畑がぬかるんだ場合には、車輪が土に刺さり込んで使用不能となる。
【発明の概要】
【発明が解決しようとする課題】
【０００４】  本発明は、野菜収穫に用いるミニコンテナ−を、バンドや紐を用いて、肩にかける、又は腰に縛るなどによる、人が体に直接容器を携えて歩く野菜収穫作業の重労働からの解放、労働の軽減の為に考えられたものである。【０００５】  野菜の収穫はその成長に合わせて、適期に行わなければならず、雨天や、大雨による圃場条件の悪いときにも作業が行われる。畑がぬかるんだ場合には、車輪のついた台車などは車輪が土にぬかって重くなり、さらに泥も付いてくるので使用不可能になる。これを解決する為に他の方法が求められる。
【課題を解決する為の手段】
【０００６】  以上に述べた、幾つかの課題を解決するために、前記、台車の車輪に変わるもの、として、軽量の金属製パイプ等を使った土ソリを取り付けた移動式の台を考案した。
【０００７】  この台を人が後ろ手に引いて移動出来るように、人の後に位置する弓形の引き手ハンドルを設けたものである。
【発明の効果】
【０００８】  本発明に依って作業者が、ミニコンテナ−を肩にかついだり、腰に縛ったりして行う野菜の収穫作業の重労働から解放される。
【０００９】  可能な限り軽量の金属材料や、金属パイプ等を使用して、車輪をもちいず軽量に作られているので。ぬかる畑でも問題なく使用することが出来、土もほとんど付かない。
【００１０】  圃場から切り取った野菜を、立ち姿勢のままコンテナ−に収納できるので、腰痛のある人でも楽に作業ができる。
【００１１】  複数のミニコンテナ−を積載できるので、作業能率が飛躍的に向上する。
【００１２】  二次的に派生する効果として、作業を中断して現場をはなれる必要が生じた場合でも、この台が元の場所に置いたままになっているので、場所をまちがえず作業復帰できる。
【図面の簡単な説明】
【００１３】
【図１】  本発明全体の斜視図
【図２】  本発明の使用状態を示した図
【発明を実施するための形態】
【００１４】  以下、本発明の実施の形態を図１に符した番号に基づいて説明する。
【００１５】  １はミニコンテナ−を乗せる台枠で、極軽量のＬ形鋼、平形鋼で構成。２は握りやすい太さの金属パイプ製引き手ハンドル、３は高さを構成する支柱で、１０ｍｍ程度の金属丸俸、４は地上を滑らせる為の金属パイプ等を曲げ加工して用いた土ソリ、５は畑作物の畝間の枝や葉を傷めないように分けて進む分草部である。
【産業上の利用可能性】
【００１６】  本発明は野菜の収穫の他、畑作物の中の大きな雑草を抜きながら搬出する雑草搬出作業にも利用できる。【００１７】  本発明は軽量な金属材料で作成されるので、工業製品として多量生産することも容易であると思われる。
【符号の説明】
【００１８】１  コンテナ−台
２  引き手ハンドル
３  支柱
４  土ソリ
５  分草部
【図１】
2011177164.tif 000003
【図２】
2011177164.tif 000004
(57)【要約】【課題】この発明は繋がれた犬等の動物が自身の意思で、飼い主が設定したコースを自由に往来でき、犬等のストレス・運動不足の解消ができる装置に関するものである。【解決手段】  Ｋを支点にＣ、Ｄ２方向へ自在に動くスプリングフック等１とワイヤロープ等５が器具４から外れないためのストッパー２を備え、また、犬等の動物はＡ、Ｂの双方を通過できるため、紐等６の絡み防止用曲線部３を備えた器具４を地盤の状況に合わせてピン、接着剤、単管等で地面に設置し、ワイヤロープ等５をＣ、Ｄ方向にくぐらせ、ワイヤロープ等５に犬等の動物の首輪等と結ばれた紐等６をリング等７で接続する。【選択図】図１
2011177162.tif 000002
【特許請求の範囲】
【請求項１】
Ｋを支点にＣ、Ｄ２方向へ自在に動くスプリングフック等１とワイヤロープ等５が器具４から外れないためのストッパー２を備え、また、犬等の動物はＡ、Ｂの双方を通過できるため紐等６の絡み防止用曲線部３を備えた器具４を使用した、繋がれた犬等の動物が自身の意思で自由に散歩できる装置。
【請求項２】
器具４と伸縮自在の単管等を一体化させた、繋がれた犬等の動物が自身の意思で自由に散歩できる装置。
【請求項３】
器具４を地盤の状況に合わせてピン、接着剤、単管等で地面に設置し、ワイヤロープ等５をＣ、Ｄ方向にくぐらせ、ワイヤロープ等５に犬等の動物の首輪等と結ばれた紐等６をリング等７で接続した、繋がれた犬等の動物が自身の意思で自由に散歩できる装置。
【発明の詳細な説明】
【技術分野】
【０００１】  この発明は、往来が自由にできる器具を使用し、飼い主が設定したコースに沿って、繋がれた犬等の動物が自己の意思で自由に散歩できる装置に関するものである。
【背景技術】
【０００２】  従来の犬等の動物の散歩は、紐、ワイヤロープ等を使用した直線状のコース、固定され簡単にコース変更もできないものであり、飼い主が一緒に行なう散歩にしても、飼い主の不都合が生じてくればできず、散歩する側される側双方のストレスとなっていた。また、放牧をしている畜産業では、餌の調整など大変な労力を費やしていた。
【先行技術文献】
【特許文献】
【０００３】
【特許文献１】実用新案登録第３０９７１５３号公報
【発明の概要】
【発明が解決しようとする課題】
【０００４】  したがって、本発明は、繋がれた犬等の動物のストレス、運動不足の解消、放牧家畜の餌の調整、コスト減に苦慮している方々の強い要望に応えるために提供されたものであり、取付け、取り外し、コース変更、場所の移動等が簡単にしかも低コストでできることが必要とされる。
【課題を解決するための手段】
【０００５】  その構成を説明すると、Ｋを支点にＣ、Ｄ２方向へ自在に動くスプリングフック等１とワイヤロープ等５が器具４から外れないためのストッパー２を備え、また、犬等の動物はＡ、Ｂの双方を通過できるため紐等６の絡み防止用曲線部３を備えた器具４を地盤の状況に合わせてピン、接着剤、単管等で地面に設置し、ワイヤロープ等５をＣ、Ｄ方向にくぐらせ、ワイヤロープ等５に犬等の動物の首輪等と結ばれた紐等６をリング等７で接続する。
【発明の効果】
【０００６】  飼い主の都合で毎日の散歩ができず、愛犬は明らかにストレスからくる無駄吠えがあり、隣近所に迷惑をかけていたが、装置の実効性を試すため自宅敷地に仮の実験コースを設置したところ愛犬は無駄吠えがほとんど無くなり、１４歳８ヶ月の今日も活き活きと動き回っている。
【図面の簡単な説明】
【０００７】
【図１】本発明の斜視図
【図２】本発明の使用図
【発明を実施するための形態】
【０００８】  次に本発明の実施の形態を述べると、犬等の動物は設定したコースに沿ってワイヤロープ等５から紐等６の長さ分だけＣ、Ｄ方向に自由に往来でき、コースのワイヤロープ等の直線部が長い場合は、弾力性により犬等の行動範囲が広がるため、より来客等との共存を図るにはその途中にも器具４を設置すれば効果的である。
【０００９】  また、ワイヤロープ等５の口径は、器具４に対し垂直時のスプリングフック等１とワイヤロープ等５が器具４から外れないためのストッパー２との隙間より太いものを使用する。
【００１０】  雪の積もる地域では、ワイヤロープ等の雪を寄せるか、単管等と器具４を一体化させるかの選択をすれば良く、単管等との一体化を選択した場合は、器具４と地上の隙間ができ犬等が単管等に巻き付くこともあるため、単管等の脇に紐等６の長さよりも最低半分の幅の巻き付き防止策が効果的である。
【符号の説明】
【００１１】  １  Ｋを支点にＣ、Ｄの２方向へ自在に動くスプリングフック等
２  ワイヤロープ等５が器具４から外れないためのストッパー
３  紐等６の絡み防止用曲線部
４  器具本体
５  ワイヤロープ等
６  紐等
７  リング等
Ａ  犬等の動物が器具本体４を通過するときの位置
Ｂ  犬等の動物が器具本体４を通過するときの位置
Ｃ  犬等の動物がワイヤロープ等に沿って進む方向
Ｄ  犬等の動物がワイヤロープ等に沿って進む方向
【図１】
2011177162.tif 000003
【図２】
2011177162.tif 000004
(57)【要約】      （修正有）【課題】罠に掛かった大型の猛獣や獣は強い力で逃げようとすると、罠は固定されているために罠用のワイヤーに負担が掛かり切れることや、猛獣や獣自身の足を切断して逃げられることがある。よってそのようなことがない装置を提供する。【解決手段】罠を罠用取り付け移動式錨の罠取り付けフック２に取り付ける。罠用取り付け移動式錨は固定していないことで罠に猛獣や獣が掛かって逃げるために引っ張ると、罠と罠用取り付け移動式錨は移動するため罠用のワイヤーや獣自身の足にかかる負担が少なくなり切断しなくなる。罠と罠用取り付け移動式錨が移動すると、抵抗爪３が地面に食い込むことで引っ張る抵抗が増すことになる。そのため負担は猛獣や獣の足にかかると、あまり遠くには逃げられなくなる。また罠用取り付け移動式錨が移動すると抵抗爪３が地面に食い込むことにより地面に印しを付け猛獣や獣の逃げた位置がわかるようにした。【選択図】図１
2011177161.tif 000002
【特許請求の範囲】
【請求項１】
罠用取り付け移動式錨の罠取り付けフック２に、猛獣や獣を捕獲する罠のワイヤーを取り付ける。その罠に猛獣や獣が掛かって逃げようとすると、罠用のワイヤーが引っ張られて罠用取り付け移動式錨は固定していないため移動することになる。そのため罠用取り付け移動式錨を引っ張る負担が猛獣や獣の足にかかるため、あまり遠くへ移動できないようにした。また罠用取り付け移動式錨が移動すると、猛獣や獣を捕獲する罠と罠用取り付け移動式錨の間にあるワイヤーの負担も軽くなり罠用のワイヤーは切断しにくくなる。
【請求項２】
罠用取り付け移動式錨の抵抗爪３は［図１］のように斜めに付けることで、罠用取り付け移動式錨が猛獣や獣の力で引っ張られて移動すると、抵抗爪３は地面に食い込み地面を削りながら移動する。罠用取り付け移動式錨の重さを引っ張る抵抗と抵抗爪３が地面を削る抵抗が合わさることで、罠用取り付け移動式錨の重さを軽くしても引っ張る負担を大きくするようにした。また罠用取り付け移動式錨が移動して抵抗爪３が地面に食い込むと、地面を削って移動するため地面に印しが付いて移動した位置がわかるようにした。
【発明の詳細な説明】
【技術分野】
【０００１】  本発明は、罠を固定式でなく、罠に罠用取り付け移動式錨を取り付けて罠ごと移動できるようにした。猛獣や獣の足が罠に掛かって逃げようとすると、罠と罠用取り付け移動式錨が移動することにより罠用のワイヤーや獣自身の足にかかる負担が少なくなり切断しにくくした。
【背景技術】
【０００２】  猛獣や獣が罠に掛かり捕獲されているが、大型の猛獣や獣は強い力で逃げようとするので罠用のワイヤーに負担が掛かって切れることや猛獣や獣自身の足を切断して逃げることがある。
【発明の開示】
【発明が解決しようとする課題】
【０００３】  大型の猛獣や獣が罠に掛かって逃げようとすると、罠用のワイヤーに負担が掛かって切れることや猛獣や獣自身の足を切断して逃げたりすること。
【問題を解決するための手段】
【０００４】  請求項１の発明は、罠を罠用取り付け移動式錨の罠取り付けフック２に取り付ける。罠用取り付け移動式錨は固定していないので、罠に猛獣や獣が掛かって逃げようとすると罠と罠用取り付け移動式錨は移動することで、罠用のワイヤーと猛獣や獣自身の足にかかる負担が少なくなり切断しにくくした。
【０００５】    請求項２の発明は、罠用取り付け移動式錨の抵抗爪３は、［図１］のように斜めに付けられている。罠と罠用取り付け移動式錨が猛獣や獣の逃げようとする力で移動することで、抵抗爪３が地面に食い込み引っ張る抵抗が増すことで罠用取り付け移動式錨の重さを軽くすることができる。また罠用取り付け移動式錨が移動すると抵抗爪３が地面に食い込むことにより地面に印しを付け猛獣や獣の逃げた位置がわかるようにした。
【発明の効果】
【０００６】  本発明は、罠を固定式でなく、罠に罠用取り付け移動式錨を取り付けることにより、猛獣や獣の足が罠に掛かって逃げようとすると罠用取り付け移動式錨が引っ張られ移動することになり、罠用のワイヤーや猛獣や獣自身の足にかかる負担が少なくなることで切断しにくくした。抵抗爪３は斜めに付けてあり罠用取り付け移動式錨が移動すると地面に食い込むことになり、罠用取り付け移動式錨の重さの抵抗以上に引っ張る抵抗が増すことで、猛獣や獣の足にも負担が掛かるのであまり遠くへ逃げられなくなる。また罠用取り付け移動式錨の重さを軽くすることもできので持ち運びがらくになる。それと抵抗爪３が地面に食い込むこと地面に印しを付け猛獣や獣の逃げた位置がわかるようにした。
【発明を実施するための最良の形態】
【０００７】  ［図１］のように罠用取り付け移動式錨本体１に罠取り付け用フック２と抵抗爪３がつけられている。罠を罠取り付けフック２に取り付けて仕掛ける。猛獣や獣が掛かって逃げようとすると、罠用取り付け移動式錨本体１は引っ張られて移動することになり抵抗爪３が地面に食い込むと引っ張る抵抗が増すことになる。そのため罠用取り付け移動式錨本体１の重さと抵抗爪３が地面に食い込む抵抗が合わさった負担が猛獣や獣の足に掛かり逃げる範囲を狭くした。それと抵抗爪３が地面に食い込むことにより地面に印しを付け猛獣や獣の逃げた位置がわかるようにした。
【産業上の利用可能性】
【０００８】  本発明に係る獣罠用移動式錨は、工業的に量産する事が可能であるため、産業上の利用可能性を有する。
【図面の簡単な説明】
【０００９】
【図１】  罠用取り付け移動式錨本体横面図
【図２】  罠用取り付け移動式錨本体上面図
【図３】  罠用取り付け移動式錨本体正面図
【符号の説明】
【００１０】  １    罠用取り付け移動式錨本体
２    罠取り付け用フック
３    抵抗爪
【図１】
2011177161.tif 000003
【図２】
2011177161.tif 000004
【図３】
2011177161.tif 000005
(57)【要約】      （修正有）【課題】一般生活者、老若男女、勤労者、旅行等移動中の人々、医療、介護の現場にに於ける身体不自由者の排尿の自由を確保する為の健康保全衛生器具を提供する。【解決手段】人間生活に於ける生理的排尿のＴＰＯ上の救難、具体的には勤労者、作業者、移動中の旅行者等が屋外に於いて排尿の急難に遭遇困窮した時、ＴＰＯに関係無く、任務や作業を中断する事無く、直近の下水道等に排尿する事により。生理的、衛生的健康保全を確保し。肉体的精神的苦痛から解放され、事後の活動が快適になり。医療、介護の現場への応用で患者の救難に供し。医療、介護従事者の労働力の軽減を図る事が出来る。【選択図】図１
2011177482.tif 000002
【特許請求の範囲】
【請求項１】
緊急時用着帯式簡易排尿健康保全衛生器具一般活動用、
【請求項２】
緊急時用着帯式簡易排尿健康保全衛生器具車輛等運転従事者及び同乗者用
【発明の詳細な説明】
【技術分野】
【０００１】  医療衛生機器及びプラステイック成型工業分野、
【背景技術】
【０００２】  現存する医療用器具の点滴用開閉器等の応用及びプラステイック成型技術を持って担保する。
【先行技術文献】
医療器具の開閉器に関する文献、プラステイック成型に関する文献
【特許文献】
【０００３】
【特許文献１】
【特許文献２】
【非特許文献】
【０００４】
【非特許文献１】
【非特許文献２】
【発明の概要】
本発明は一般生活者、老若男女、勤労者、旅行等移動中の人々、医療、介護の現場にに於ける身体不自由者の排尿の自由を確保する為の健康保全衛生器具である。
【発明が解決しようとする課題】  人間生活に於ける生理的排尿のＴＰ○上の救難、具体的には勤労者、作業者、移動中の旅行者等が屋外に於いて排尿の急難に遭遇困窮した時、ＴＰＯに関係無く、任務や作業を中断する事無く、直近の下水道等に排尿する事により。生理的、衛生的健康保全を確保し。肉体的精神的苦痛から解放され、事後の活動が快適になり。医療、介護の現場への応用で患者の救難に供し。医療、介護従事者の労働力の軽減を図る事が出来る。
【課題を解決するための手段】別紙、図面に図解する緊急時用着帯式簡易排尿健康保全衛生器具の開発製造を持って充足する。
【発明の効果】生理的喫緊の排尿のＴＰＯに於ける救難により。諸種の任務、作業等が遅滞無く進捗し。事故防止、精神的肉体的苦痛の解放により。健康保全、衛生面の確保が達成され。事後の活動が快的になり。尚、医療介護の分野に於いて、労働力の軽減を図ると共に格段の応用展開が出来ると物と推量する。
【図面の簡単な説明】［書類名］  図面の別紙を持って説明する。
【発明を実施するための形態】
【実施例】  現状に於ける実施例はない。
【産業上の利用可能性】限り無く多大であると考察出来る。
【図１】
2011177482.tif 000003
【図２】
2011177482.tif 000004
【図３】
2011177482.tif 000005
【手続補正書】
【提出日】平成22年5月18日(2010.5.18)
【手続補正１】
【補正対象書類名】明細書
【補正対象項目名】全文
【補正方法】変更
【補正の内容】
【発明の詳細な説明】
【技術分野】
【０００１】医療衛生機器及びプラスチイック成型工業分野、
【背景技術】
【０００２】  現存する医療用器具の点滴用開閉器等の応用及びプラスチイック成型工業技術を持って担保する。
【先行技術文献】
医療器具の開閉器に関する文献、プラステイック成型に関する文献
【特許文献】
【０００３】
【特許文献１】
【特許文献２】
【非特許文献】
【０００４】
【非特許文献１】
【非特許文献２】
【発明の概要】
本発明は一般生活者、老若男女、勤労者、旅行等移動中の人々、医療、介護の現場にに於ける身体不自由者の排尿の自由を確保する為の健康保全衛生器具である。
【発明が解決しようとする課題】  人間生活に於ける生理的排尿のＴＰＯ上の救難、具体的には勤労者、作業者、移動中の旅行者等が屋外に於いて排尿の急難に遭遇困窮した時、ＴＰＯに関係無く、任務や作業を中断する事無く、直近の下水道等に排尿する事により。生理的、衛生的健康保全を確保し。肉体的精神的苦痛から解放され、事後の活動が快適になり。医療、介護の現場への応用で患者の救難に供し。医療、介護従事者の労働力の軽減を図る事が出来る。
【課題を解決するための手段】別紙、図面に図解する緊急時用着帯式簡易排尿健康保全衛生器具の開発製造を持って充足する。
【発明の効果】生理的喫緊の排尿のＴＰＯに於ける救難により。諸種の任務、作業等が遅滞無く進捗し。事故防止、精神的肉体的苦痛の解放により。健康保全、衛生面の確保が達成され。事後の活動が快的になり。尚、医療介護の分野に於いて、労働力の軽減を図ると共に格段の応用展開が出来ると物と推量する。
【図面の簡単な説明】
【０００５】
【図１】  緊急用着帯式簡易排尿健康保全衛生器具の説明図
【図２】  蓄尿タンク（蓄尿槽）の説明図
【図３】  排尿カップ（ロート）の説明図
【発明を実施するための形態】
【実施例】  現状に於ける実施例はない。
【産業上の利用可能性】限り無く多大であると考察出来る。
(57)【要約】【課題】階段の上り下りが容易なスーツケースを提供する。【解決手段】収納函の両側面に車輪を設ける。【選択図】図６
2011177484.tif 000002
【特許請求の範囲】
【請求項１】
収納函の両側面に車輪を取り付けたスーツケース。
【請求項２】
車輪の外周面に間欠に窪みを設け、その窪みに他端をピンにより係止されたフックが入出できる請求項１のスーツケース。
【発明の詳細な説明】
【技術分野】
【０００１】本発明は階段の上り下りを容易にするスーツケースに関するものである。
【背景技術】
【０００２】従来のスーツケースは収納函底部に小さなコロのキャスターが設けられていた。
【発明の開示】
【発明が解決しようとする課題】
【０００３】従来のスーツケースはコロが小さいため階段の上り下り時、そのまゝ階段を乗り越えることができないのでスーツケースを持ち上げる必要があった。
【課題を解決するための手段】
【０００４】コロの代りに大きな車輪を収納函の両側面に取り付けた。
【発明の効果】
【０００５】（イ）図９に示す様に階段を容易に乗り越えることができる。
【発明を実施するための最良の形態】
【０００６】以下、本発明の実施の形態について説明する。
（イ）収納函１の両側面に車輪２を配し、その外側にカバー３を設ける構成とした。
（ロ）階段でスーツケースが手から離れた場合、車輪の回転防止を目的として、図４、図５に示す様な外周面に間欠に窪み６を設けた車輪２と図６に示す様な他端をピンで係止されたフック７より成る構成とした。図６はフックが車輪の窪みから飛び出しており、送行中の状態を示している。この状態からスーツケースより手を離した状態を図７に示す。スーツケースの取っ手４から手を離すと他端をピンにより係止されたレバー８が時計方向に可動し、これに追随してレバーとフック間を連結している紐等の連結体９を介してフックが反時計方向に可動し車輪の窪みに収まり、車輪の回転が停止される。
【図面の簡単な説明】
【０００７】
【図１】本発明の正面図
【図２】図１の側面断面図
【図３】図１の平面図
【図４】車輪の正面断面図
【図５】図４の平面図
【図６】本発明の機能を示す正面断面図
【図７】本発明の機能を示す正面断面図
【図８】レバーの斜視図
【図９】本発明の使用状態を示す正面図
【符号の説明】
【０００８】１  収納函
２  車輪
３  カバー
４  取っ手
５  蓋
６  車輪の窪み
７  フック
８  レバー
９  連結体
【図１】
2011177484.tif 000003
【図２】
2011177484.tif 000004
【図３】
2011177484.tif 000005
【図４】
2011177484.tif 000006
【図５】
2011177484.tif 000007
【図６】
2011177484.tif 000008
【図７】
2011177484.tif 000009
【図８】
2011177484.tif 000010
【図９】
2011177484.tif 000011
(57)【要約】      （修正有）【課題】電車の座席に座るとき或いはカフェの椅子に座るときの傘の置き場所を確保する傘立てバンドを提供する。【解決手段】縦長の四角い基板の表面の上部及び下部に支持板を設け、各支持板の上縁に貫通穴を設け、その貫通穴を貫いた環状体を形成し、各支持板の上部及び下部の両端より伸びたベルト雄片並びにベルト雌片の各ベルトの先端に面ファスナーを設けて各ベルト先端を結合自在とする。【選択図】図１
2011177481.tif 000002
【特許請求の範囲】
【請求項１】
縦長の四角い基板の表面の上部及び下部に支持板を設け、各支持板の上縁に貫通穴を設け、その貫通穴を貫いた環状体を形成し、各支持板の上部及び下部の両端より伸びたベルト雄片並びにベルト雌片の各ベルトの先端に面ファスナーを設けて各ベルト先端を結合自在とする傘立てバンド。
【発明の詳細な説明】
【技術分野】
【０００１】  本発明は、畳んだ傘を持って電車の座席に座るとき或いはカフェの椅子に座るときの傘の置き場所の確保に関する傘立てバンドである。
【背景技術】
【０００２】  従来、畳んだ傘を持って電車に乗るとき、持ち主にとってその傘は既に厄介な持ち物になっていて、電車の座席に座るとき、その傘の置き場所に困って傘を手で持つか、或いは電車の座席の横のもたれに掛けてしまうのが常であった。また、カフェの椅子に座るとき、そこにちゃんとした傘の置き場所がないという現実があった。
【先行技術文献】
【０００３】
【特許文献１】特開平１１−２４４１２３号公報
【特許文献２】特開２００１−１６９８９３号公報
【特許文献３】特開２００３−７９４１２号公報
【特許文献４】特開２００３−１０２５８７号公報
【特許文献５】特開２００３−７９４１２号公報
【特許文献６】特開２００５−１４４１１６号公報
【特許文献７】特開２００６−５１３１２号公報
【特許文献８】特開２００９−２８５４３４号公報
【特許文献９】実用新案公開平６−４４６６９号公報
【特許文献１０】登録実用新案第１４１５７３号公報
【特許文献１１】登録実用新案第３１１５４６５号公報
【発明の概要】
【発明が解決しようとする課題】
【０００４】  畳んだ傘を持って電車に乗るとき、その傘の置き場所に困って傘を手に持つか、或いは座席の端のもたれに掛けてしまうのが常であった。また、カフェの椅子に座るとき、その傘を椅子の背もたれに掛けて置くというのが常であったが、しかしそこには、次のような問題点があった。
（イ）片方の手で本を読みながらもう一方の手で傘を持つとき、或いは一方の手で膝の上の鞄を支えながらもう一方の手で傘を持つとき、ついその手がゆるんで傘を滑らせて床に落としてしまうということが起きたりしていた。
（ロ）座席の端にあるもたれに傘を掛けたとき、降りるときにその傘を忘れてしまうという傘の置き忘れ現象が起きたりしていた。そして、そのために忘れた傘を保管している鉄道会社の負担も少なくなかった。
（ハ）心理的な面から見ても、持ち主にとってその傘は、傘を畳んだときから既に厄介な持ち物になっていて、使わない傘を手に持ちながら電車の座席に座っているという行為自体がその人にとって既にストレスになっていた。
（ニ）カフェの椅子の背もたれに傘を掛けるとき、その傘は、しばしばその背もたれからずれ落ちたりしていた。
本発明は、これらの問題点を解決するためになされたものである。
【課題を解決するための手段】
【０００５】  縦長の四角い基板の表面の上部及び下部に支持板を設け、各支持板の上縁に貫通穴を設け、その貫通穴を貫いた環状体を形成し、各支持板の上部及び下部の両端より伸びたベルト雄片並びにベルト雌片の各ベルトの先端に面ファスナーを設けて各ベルト先端を結合自在とする。
以上の構成よりなる傘立てバンドである。
【発明の効果】
【０００６】  本発明である傘立てバンドの基板の裏面を左右どちらかの足の内側の膝下から足首の間にあて、その基板の表面の各支持板の上部と下部の両端より伸びたベルト雄片とベルト雌片の各ベルトの先端に設けた面ファスナーを結合させて足に固定し、そして各支持板の上縁の貫通穴を貫く環状体の中に、傘を上から下に差し込んでしまえば傘の置き場所がそこにしっかりと確保されることになり、それによって両方の手が使えるようになり、そして傘を手に持つというストレスも消えることになり、そして傘の置き忘れ現象も解消されることになり、そして、その忘れ傘を保管する鉄道会社の負担も軽減されることにもなる。
また、カフェの椅子に座るとき、傘立てバンドを足の外側に固定すれば、傘の置き場所がそこに確保されることになり、安心である。また、その傘立てバンドを足から外して椅子の背もたれの支柱に固定することもでき、便利である。
【図面の簡単な説明】
【０００７】
【図１】本発明の斜視図
【図２】本発明の側面図
【図３】本発明の平面図
【図４】本発明の傘の使用状態を示す正面図
【図５】本発明の傘の使用状態を示す正面図
【図６】本発明の傘の使用状態を示す正面図
【発明を実施するための形態】
【０００８】  以下、本発明の実施の形態について説明する。
（イ）縦長の四角い基板（１）を設ける。
（ロ）基板（１）の表面の上部及び下部に支持板（２）を設ける。
（ハ）各支持板（２）の上縁に貫通穴（５）を設ける。
（ニ）貫通穴（５）を貫いた環状体（３）を形成する。
（ホ）基板（１）の表面の支持板（２）の上部および下部の両端より伸びたベルト雄片（４ａ）並びにベルト雌片（４ｂ）の各ベルトの先端に面ファスナー（６）を設けて各ベルト先端を結合自在とする。
本発明は以上のような構成である。
本発明を使用するときは、傘立てバンドの基板（１）の裏面を左右どちらかの足の内側の膝下から足首の間にあて、その基板（１）の表面の支持板（２）の上部と下部の両端より伸びたベルト雄片（４ａ）とベルト雌片（４ｂ）の各ベルトの先端に設けた面ファスナー（６）を結合させて足に固定し、その支持板（２）の上縁の貫通穴（５）を貫いた環状体（３）の中に傘（７）を上から下に差し込んで、収める。
【符号の説明】
【０００９】  １  基板
２  支持板
３  環状体
４  ベルト
５  貫通穴
６  面ファスナー
７  傘
【図１】
2011177481.tif 000003
【図２】
2011177481.tif 000004
【図３】
2011177481.tif 000005
【図４】
2011177481.tif 000006
【図５】
2011177481.tif 000007
【図６】
2011177481.tif 000008
(57)【要約】      （修正有）【課題】片手で簡単にロールペーパーを切断し次のロールペーパーの先端部をつまみ易い状態を残して切断できるトイレットペーパーホルダーを提供する。【解決手段】ロールカバー面にミシン目のあるロールペーパー５を貫通させる窓３を設けその上部にスプリング８により左右に可動するロールバー４を設けロールカバー先端部にロールペーパー切断刃６を上向きに設ける。使用するときはロールペーパー保持部７にロールペーパー５をセットしてロールペーパー先端部をカバー面の窓３に下から上に貫通しロールバー４上部を経て上向きに設けられた切断刃６にてミシン目部分でロールペーパーを上から下に向けて片手で切断する。切断後は、切断刃６部とロールペーパー先端部とには隙間ができ、次のロールペーパー先端部が容易に引きだせる。【選択図】図１
2011177471.tif 000002
【特許請求の範囲】
【請求項１】
トイレットペーパーロールホルダー（１）においてロールカバー（２）にミシン目のあるロールペーパー（５）を貫通させる窓（３）を設けその上部にスプリング（８）により左右に可動するロールバー（４）を設けロールカバー先端部にロールペーパー切断刃（６）を上向きに設けたトイレットペーパーホルダー。
【発明の詳細な説明】
【発明の詳細な説明】
【技術分野】
【０００１】  本発明は、片手で簡単にロールペーパーを切断し次の使用分のロールペーパーの先端部をつまみ易い状態を残して切断できるトイレットペーパーホルダーである。
【背景技術】
【０００２】  従来のトイレットペーパーホルダーでは切断時ロールカバーを押さえ切断刃部で切断するが、このとき両手を使う必要があり切断刃部にロールペーパーの切り口が密着または裏側に隠れつぎの使用のロールペーパーの取り出しが困難であっつた。
【発明が解決しようとする課題】
【０００３】従来ロールペーパーを切断するにはロールカバーを押さえてロールペーパーを引くには両手を使用しなければならず、切断後ロールペーパーが切断刃に密着または裏側に隠れ次の使用のロールペーパーを取り出すのに困難である。
【課題を解決するための手段】
【０００４】本発明は、この問題点を解決する為に考案されたものでトイレットペーパーホルダー（１）においてロールカバー（５）を貫通させる窓を設けその上部に引張りスプリング（８）により左右に可動するロールバー（４）を設けロールカバー（２）先端部にロールペーパー切断刃（６）を上向きに設ける。以上の構成からなるトイレットペーパーホルダーである。
【発明の作用】
【０００５】本発明を使用するときはトイレットペーパーホルダー（１）においてロールペーパー保持部（７）にミシン目のあるロールペーパー（５）をセットしてロールペーパー先端部をロールカバー（２）面に設けてある窓に下から上に挿入しロールバー（４）上部を通過して上向きに設けられたロールペーパー切断刃（６）にてロールペーパーのミシン目部分にてロールペーパーを片手で上から下に引けば切断される。
この時ロールカバー（２）を別の手で押さえる必要はない。
切断時に左右に可動するロールバー（４）はロールペーパー（５）が引っ張られるため右に移動［図２］しロールペーパー（５）が切断刃（６）にて切断されるとロールバー（４）が引張りスプリング（８）により左に戻され［図３］ロールペーパー（５）先端部とロールペーパー切断刃との間に隙間ができる。
この隙間より指にて次のロールペーパー（５）が容易に引き出せる。
【発明の実施例】
【０００６】以下本発明の実施例をのべる。
（イ）トイレットペーパーホルダー（１）においてロールカバー（２）面にロールペーパー（５）を貫通させる窓（３）を設けその窓上部に引張りスプリングにより左右に可動するロールバー（４）設けロールカバー（２）先端部にロールペーパー切断刃（６）を上向きに設ける。本発明は以上の構成よりなる。
本発明を使用するときはミシン目のあるトイレットペーパー（５）先端部をロールカバー（２）に設けてある窓（３）に挿入しロールバー（４）上部を通過し上向きに設けられたロールペーパー切断刃（６）にてミシン目部分でロールペーパーを上から下に向けて切断する。このときロールペーパー（５）を別の手で押さえる必要はない。ロールカバー（２）で押さえられている。
切断時に左右に可動するロールバー（４）はロールペーパー（５）が引っ張られるため右に移動（図２）しロールペーパー（５）が切断刃（６）にて切断されるとロールバー（４）が引張りスプリング（８）により左に戻されロールペーパー（５）先端部とロールペーパー切断刃（６）との間に隙間ができ次のロールペーパーが残る。切断後ロールペーパーが切断刃（６）に密着または裏側に隠れることはない。
この隙間より指にて次のロールペーパー（５）先端部が容易に引き出せる。
【発明の効果】
【０００７】（イ）本発明を使用することにより片手でロールペーパー（５）を引きミシン目部分で簡単にロールペーパー（５）が切断刃にて切断され次のロールペーパー先端部が残り次のロールペーパー（５）が取り出しが容易にできる。この時ロールペーパーを別の手で押さえる必要はない。ロールカバーで押さえられている。
【図面の簡単な説明】
【図１】全体図
【図２】ロールペーパー切断時側面図
【図３】ロールペーパー切断後側面図
【符号の説明】１  トイレットペーパーホルダー      ６  ロールペーパー切断刃
２  ロールカバー                    ７  ロールペーパー保持部
３  窓                              ８  スプリング
４  ロールバー
５  ロールペーパー
【図１】
2011177471.tif 000003
【図２】
2011177471.tif 000004
【図３】
2011177471.tif 000005
(57)【要約】【課題】持ち手と巾着機能を設け重箱にフィットする大きさのバッグを提供する。【解決手段】重箱にフィットする大きさのバッグ本体の上部に持ち手を設け、バッグ開閉部に巾着機能を設けることを特徴とする重箱バッグ。【選択図】図１
2011177478.tif 000002
【特許請求の範囲】
【請求項１】
重箱にフィットする大きさのバッグ本体の上部に持ち手を設け、バッグ開閉部に巾着機能を設けることを特徴とする重箱バッグ。
【発明の詳細な説明】
【技術分野】
【０００１】  本発明は、重箱を入れて持ち運びができるバッグに関するものである。
【背景技術】
【０００２】  従来、風呂敷等に包んで持ち運んでいた。
【発明の開示】
【発明が觧決しようとする課題】
【０００３】  そのために、次のような問題点があった。
（イ）重箱とのフィット感が無いので、不安定である。
（ロ）持ち手が無いので、持ち運びに疲れる。
（ハ）お洒落を楽しむ事ができない。
【課題を解決するための手段】
【０００４】  重箱にフィットする大きさのバッグ本体の上部に持ち手を設ける。バッグ開閉部に巾着機能を設ける。以上を特徴とする重箱バッグである。
【発明の効果】
【０００５】  重箱にフィットする大きさの持ち手のついたバッグは、安定感があり、持ち運びに疲れにくく、色や柄を楽しむ事ができるのでお洒落である。
【発明を実施するための最良の形態】
【０００６】  以下、本発明の実施形態について説明する。
（イ）重箱にフィットする大きさのバッグ本体（１）を設ける。
（ロ）バッグ本体上部に、腕が通る持ち手（２）を設ける。
（ハ）バッグ開閉部に巾着機能（３）を設ける。
本発明は以上のような構成で、これを使用するときは、（３）を開いて重箱を（１）に入れ、（３）を閉じて、（２）を持って持ち運ぶ。
【図面の簡単な説明】
【０００７】
【図１】本発明の斜視図
【図２】本発明の使用状態を示す斜視図
【図３】本発明の使用状態を示す側面図
【符号の説明】
【０００８】  １  バッグ本体
２  持ち手
３  巾着
【図１】
2011177478.tif 000003
【図２】
2011177478.tif 000004
【図３】
2011177478.tif 000005